(57)【要約】      （修正有）【課題】生体情報等の測定対象情報を測定する測定機器と実質的に同一の外観、使用方法を有しつつ、生体等の測定対象の状態を反映する情報を、予め設定された表示情報決定方法に従って表示することにより、測定機器使用技術を訓練できる、測定技術訓練装置を提供する。【解決手段】測定技術訓練装置１０は、被訓練者により操作される訓練操作部２と、被訓練者に対する訓練用の基礎情報が入力される基礎情報入力部１と、訓練操作部２における操作に基づいて生成した信号および訓基礎情報入力部１に入力された信号を受けるとともに表示される訓練用表示を決定する表示決定処理部３と、訓練用表示を表示する表示部４とからなり、外観および使用方法が特定の測定機器と共通する構成である。【選択図】図１
2017151175.tif 000002
【特許請求の範囲】
【請求項１】
訓練を受ける者（以下、「被訓練者」）により操作される訓練操作部と、被訓練者に対する訓練用の基礎情報（以下、「基礎情報」）が入力される基礎情報入力部と、該訓練操作部における操作に基づいて生成した信号および該基礎情報入力部に入力された信号を受けるとともに後記表示部に表示される訓練用の情報（以下、「訓練用表示」）を決定する表示決定処理部と、該表示決定処理部において決定された訓練用表示を表示する表示部とからなり、外観および使用方法が特定の測定機器と共通しており、訓練内容が該測定機器の測定技術もしくは該測定機器の測定値を用いた判断技術であることを特徴とする、測定技術訓練装置。
【請求項２】
前記訓練用表示は、前記被訓練者に対して、前記測定機器による測定対象の状態、該測定機器自体の状態、または該測定機器使用方法の適否のいずれかの判断の訓練に用いられるものであることを特徴とする、請求項１に記載の測定技術訓練装置。
【請求項３】
前記訓練用表示は、数値、文字、記号、図形、色、音、ドップラー音、光、発光状態、波形、画像、映像、振動、もしくは熱、またはこれらの適宜の組み合わせとして表示されることを特徴とする、請求項１または２に記載の測定技術訓練装置。
【請求項４】
前記基礎情報が訓練用表示として前記表示部に表示されることを特徴とする、請求項１ないし３のいずれかに記載の測定技術訓練装置。
【請求項５】
前記訓練操作部は、前記測定機器と同様の測定機能を備えていることを特徴とする、請求項４に記載の測定技術訓練装置。
【請求項６】
前記訓練操作部は、前記測定機器と同様の測定機能を備えており、前記訓練操作部における操作に基づいて生成した信号には、該測定機能により実測したデータ（以下、「実測信号」）が含まれ、該実測信号をデータ処理するデータ処理手順が前記基礎情報として用いられ、該データ処理手順により該実測信号がデータ処理されたものが訓練用表示として表示されることを特徴とする、請求項１ないし３のいずれかに記載の測定技術訓練装置。
【請求項７】
前記訓練操作部における操作に基づいて本装置における測定終了時を決定する測定終了時決定部が設けられていることを特徴とする、請求項１ないし６のいずれかに記載の測定技術訓練装置。
【請求項８】
前記訓練操作部における操作に基づいて生成した信号には、本装置における測定操作開始を示す信号（以下、「開始信号」）、測定操作終了を示す信号（以下、「終了信号」）のいずれか、または両方が含まれることを特徴とする、請求項１ないし７のいずれかに記載の測定技術訓練装置。
【請求項９】
前記特定の測定機器が生体情報測定機器であることを特徴とする、請求項１ないし８のいずれかに記載の測定技術訓練装置。
【請求項１０】
前記基礎情報入力部は、外部からの該基礎情報を受信する受信部であることを特徴とする、請求項１ないし９のいずれかに記載の測定技術訓練装置。
【請求項１１】
一または二以上の請求項１０記載の測定技術訓練装置と、制御装置とからなる測定技術訓練システムであって、該制御装置は、前記基礎情報が設定される設定部と、該測定技術訓練装置に対して該基礎情報を送信する送信部を備えていることを特徴とする、測定技術訓練システム。
【請求項１２】
複数種類の請求項１０記載の測定技術訓練装置で構成される一または二以上の測定技術訓練装置セットと、制御装置とからなる測定技術訓練システムであって、該制御装置は、前記基礎情報が設定される設定部と、該測定技術訓練装置セットに対して該基礎情報を送信する送信部を備え、該制御装置は該測定技術訓練装置の種類に対応して設定された各基礎情報を送信することを特徴とする、測定技術訓練システム。
【請求項１３】
前記制御装置は、前記測定技術訓練装置の種類に対応して設定された各基礎情報の組であるところの訓練パターンを前記測定技術訓練装置セットに対して送信可能なように、一以上の該訓練パターンが保存される訓練パターン記憶部を備えていることを特徴とする、請求項１２に記載の測定技術訓練システム。
【請求項１４】
前記制御装置は、前記測定技術訓練装置の種類に対応して設定された各基礎情報の組であるところの訓練パターンを前記測定技術訓練装置セットに対して送信可能なように、該訓練パターンが生成される訓練パターン生成部を備えていることを特徴とする、請求項１２または１３に記載の測定技術訓練システム。
【請求項１５】
前記訓練パターンは、所定の測定対象における各種測定データ（以下、「訓練パターン用データ」）に基づいて生成されることを特徴とする、請求項１４に記載の測定技術訓練システム。
【請求項１６】
前記制御装置は、前記訓練パターン用データを外部から受信する受信部を備えていることを特徴とする、請求項１５に記載の測定技術訓練システム。
【請求項１７】
前記訓練パターン用データは電子カルテからの生体情報、またはその他の生体情報であることを特徴とする、請求項１５または１６に記載の測定技術訓練システム。
【請求項１８】
請求項１ないし１０のいずれかに記載の測定技術訓練装置を用いて行うことを特徴とする、測定技術訓練方法。
【請求項１９】
請求項１１ないし１７のいずれかに記載の測定技術訓練システムを用いて行うことを特徴とする、測定技術訓練方法。
【発明の詳細な説明】
【技術分野】
【０００１】
本発明は測定技術訓練装置、測定技術訓練システム、および測定技術訓練方法に係り、特に、医療・看護・介護分野、あるいはまたその他の分野における、測定機器を用いた測定技術を効果的に訓練することのできる、測定技術訓練装置等に関するものである。
【背景技術】
【０００２】
近年、医療は高度化かつ複雑化しており、臨床現場からはそれらに対応し得る看護実践能力を有する人材の育成が求められている。このため、全国的にも世界的にもシミュレーション教育が重要視されている。出願人・岩手県立大学看護学部でも、２０１２年度から看護学部人材育成１０ヵ年計画（ＣＡＲＥ１０プロジェクト）を策定し、高機能患者シミュレータや輸液ポンプなどの医療機器を購入し、課外活動としてシミュレーション教育を開始した。また、模擬患者（ｓｉｍｕｌａｔｅｄ  ｐａｔｉｅｎｔｓ：ＳＰ）を活用した教育も行ってきた。
【０００３】
抗生剤投与時のアナフィラキシーショックの患者への対応演習等に高機能患者シミュレータを使用する場合、モニタに異常値を示したり、それをその場で変動させたり、あるいはプログラムしておいてアクションや時間によって変動させる方法によって、演習がなされている。たとえば、血圧が徐々に低下し酸素飽和度も低下してくる状況の再現では、患者シミュレータには、「ううう〜」という唸りや、「ゴホッ」と咳込むといった単純な音声が用意されていて、状況に応じて音声出力される。しかし、それを超える複雑な会話は教員が代弁することによって演習が進められる。なお、シミュレーション教育ではディブリーフィング（振返り）が重要視され、そこで知識技術の定着が図られている。
【０００４】
また、患者モデル人形を用いた演習では、たとえば胃切除術後の患者等、術後患者の観察技術を身につけるための演習として、特段に機能のない単なる人形であるところの患者モデル人形に、術後ドレーン類や酸素カテーテル、点滴などを装着して、実際の状況の再現がなされている。この方法では、たとえば、モニタ画面上の波形・数値等必要な情報を印刷して掲示、酸素流量計の接続部と酸素マスクのラインを人形にセロテープ（登録商標）等の粘着テープで固定、術後ドレーンや膀胱留置カテーテルには赤や黄色の絵の具を溶かして「排液」を再現、さらに量も記載、そしてパルスオキシメータ（血中酸素濃度計測用）・体温計・血圧計等に所定の数値を掲示する等して、現実味（フィディリティ）を少しでも高めて訓練効果を高める工夫がなされている。
【０００５】
また、モニタなしのシミュレータを用いる方法では、たとえば酸素療法患者の観察技術等の演習として、タブレット型端末装置にプレゼンテーションデータのスライドショーを自動再生するように設定してモニタを再現するという工夫がなされている。この場合、シミュレータは会話することができないので、教員が患者を模して代弁することにより、演習が進められている。
【０００６】
このような従来の教育用装置の特徴を要約すると、患者模型（全身もしくは一部）と表示部が連動して予め設定された生体の状態を反映する情報を表示するものであり、通常の生体情報測定機器による測定動作を行うことなく生体情報を表示するものである。また、通常の生体情報測定機器の表示部とは異なる場所に生体情報を表示するものであるといえる。なお、かかるシミュレータ等の装置を使用せず、患者役の学生を設定し、実際の生体情報測定機器を用いて測定動作を行い、実測値とは無関係に予め定められた数値、あるいは提示された数値を用いて訓練を行うという実態も、決して少なくない現状である。
【０００７】
さて、看護実践技術のシミュレーション教育に関連しては従来、複数の技術的提案もなされている。たとえば後掲特許文献１には、生体情報に基づき患者が緊急状態に陥ったか否かを判断する能力を訓練する装置として、患者模型と、生体情報を表示可能な生体情報表示部と、条件に応じて緊急状態にすべきか否かを判定する患者状態判定部とを備えた医療用実習装置が開示されている。患者状態判定部は、患者模型に対する実習者の診療状況に基づいて、緊急状態にすべきか否かを判定し、緊急状態にすべきと判定された場合に生体情報表示部に緊急状態を示す生体情報を表示させる、という構成である。
【０００８】
なお、上述のとおり従来の医療・看護・介護分野の教育現場においては、シミュレータ等の装置を使用せずに実際の生体情報測定機器を用いたロールプレイングが未だ少なくないが、そこで頻用される機器について、先行技術の一例を示す（特許文献２〜５）。まず、特許文献２開示技術は電子体温計である。これは、サーミスタ、基準抵抗体、コンデンサに電荷を蓄積する電圧切替部、コンデンサの放電に伴う電圧変化を検知してコンデンサが所定電圧以上の電圧を有している間ＯＮ信号を出力するＡ／Ｄ変換部、放電時間を計測するタイマ、放電時間、およびその直前直後における基準抵抗体を介してコンデンサに蓄積された電荷を放電した場合の各放電時間の平均値を用いてサーミスタの周辺温度を算出する演算処理部を備えた構成である。
【０００９】
次に、特許文献３開示技術は電子血圧計（デジタル血圧計）である。電子血圧計は、本体部、被測定者の上腕に巻付けるためのカフ、本体部とカフを接続するエアチューブ、手動式の加圧機構（ゴム球）、ゴム球と本体部を接続するエアチューブを基本的に備える。そして、本体部表面には測定結果等を表示する表示部、被測定者からの指示の入力を受付ける操作部が配置され、また、電源切替えスイッチ、測定開始指示を入力する測定スイッチ、過去の測定結果を読出して表示する指示を入力するメモリスイッチを含む構成である。
【００１０】
次に、特許文献４開示技術はオキシメーター（血中酸素濃度測定器）である。これは、指に異なる波長の光を照射する２つの発光素子、指を透過する異なる波長の光を受光して各波長の光強度に対応した電流信号を出力する受光素子、受光素子から出力される電流信号を電圧信号に変換する電流電圧変換回路、電圧信号をデジタル化するＡ／Ｄ変換器、２つの発光素子の発光タイミングを制御しかつＡ／Ｄ変換を発光タイミングに対応させるマイクロコンピュータを備え、さらにマイクロコンピュータにはＡ／Ｄ変換器で変換されたデジタル電圧信号から高周波領域の雑音成分および低周波領域の雑音成分をそれぞれ除去するデジタルフィルタが内蔵された構成である。これにより、温度特性、オフセット特性の調整容易、小電力化が図られるとしている。
【００１１】
次に、特許文献５開示技術は血糖計である。血糖計は、測定チップを装着する光学測定部、測定チップに光を照射する赤と緑のＬＥＤ、チップ装着判定部・血液点着判定部・測定処理部等からなるプログラム、表示部等を備えて構成される。測定処理部は、点着判定部からの制御信号により起動してタイマを動作させ、測定チップの試験紙に赤と緑のＬＥＤ光を所定時間照射する。その後、出力されるデジタルデータを受けて血糖値を算出し、これを表示部に表示するとともに記憶保存する、という一連のプロセスを実施する。
【００１２】
なお、測定技術訓練の分野とは異なるが、特定の訓練を施すための技術として、特許文献６には、個別の使用者に適した重心移動訓練を実施させる重心移動訓練システムとして、訓練モードと設定モードを切替えるモード切替部、訓練モードにおいて操作図像とその追尾の対象となる目標図像を表示面に表示させる表示処理部、測定装置で測定される使用者の重心位置に基づき表示面における操作図像の表示位置を変化させる操作処理部、設定モードにおいて記憶された重心情報から使用者の重心位置の偏りを評価する評価部、評価結果に基づいて目標図像の位置を決める設定データを決定する設定決定部が供えられた構成が開示されている。
【先行技術文献】
【特許文献】
【００１３】
【特許文献１】特開２０１４−１６４６１号公報（特許第５８０１２６３  号）「医療用実習装置」
【特許文献２】特開２０１０−１４５０１号公報「電子体温計」
【特許文献３】特開平５−３１０８４号公報（特許第５３０９９２１号）「電子血圧計」
【特許文献４】特開平１０−２０１７４３号公報「オキシメーター」
【特許文献５】特開２０１１−６４５９６号公報（特許第５３３６３１４号）「血糖計」
【特許文献６】特開２０１２−１６１４１８号公報（特許第５７８９７３８号）「重心移動訓練システム」
【発明の概要】
【発明が解決しようとする課題】
【００１４】
しかし、医療、看護、介護等の分野の教育、演習、訓練の現場で使用されていた教育・訓練用装置や、市販の生体情報測定機器（体温計、血圧計、血中酸素濃度測定器等）を用いて行う教育等では、被訓練者が実際の医療、看護、介護等の業務現場とは異なる不自然な動作を行う必要があるため、効果的な教育等を行うことができないという問題がある。
【００１５】
まず、従来の患者模型シミュレータを使用する方法では、通常の生体情報測定機器による測定動作とは異なる動作を行う、あるいは測定動作を行わないという不自然さがあるため、効果的な訓練を行うことができない。すなわちこのようなシミュレータは、患者模型（全身もしくは一部）と表示部が連動して予め設定された生体の状態を反映する情報を表示するものであり、通常の生体情報測定機器による測定動作を行うことなく生体情報を表示する。しかも、通常の生体情報測定機器の表示部とは異なる場所に生体情報を表示するため、どうしてもフィディリティに欠ける。この点、特許文献１開示技術も同様である。その上、患者のバイタルサインズ（生命兆候）を再現するこのようなシミュレータは、数百万〜一千万円の高価な装置であり、導入は決して容易ではない。
【００１６】
また、特に機能が備えられていない人形を用いる訓練では、少しでも真剣味のある訓練とするための準備が煩雑である上、結局は現実的な数値の提示ができないなど効果が低く、フィディリティは極めて乏しい。
【００１７】
また、特許文献２〜５に開示されているような従来の通常の生体情報測定機器を使用して、実際は健常者である模擬患者や学生同士で演習、訓練する方法では、異常値の再現は不可能である。そのため、訓練として体温や血圧等を測定する場合も、疾患を表わす異常値を教員が言葉で伝えたり、紙に書いて掲示したりする必要がある。つまり、実際に測定された数値とは別に予め定められた数値、あるいは別途提示された数値を使用するという不自然さのため、やはり現実味が乏しく、意識が途中で寸断され、真剣味が足りなくなって訓練に集中しにくく、効果的な訓練が行えない。
【００１８】
つまり、従来技術では、通常の生体情報測定機器による測定動作とは異なる動作を行う、あるいは測定動作を行わないという不自然さがあるために、訓練が効果的に行えないという課題があった。これらの医療機器に異常値を再現できる機能があれば、フィディリティが向上し、より現場に近い環境で教育ができる。また、このことは、医療機器のみに留まらず、何らかの測定をする機器全般についてその測定技術の訓練、教育においても共通する。
【００１９】
そこで本発明が解決しようとする課題は、かかる従来技術の問題点を踏まえ、生体情報等の測定対象情報を測定する測定機器と実質的に同一の外観、使用方法を有しつつ、生体等の測定対象の異常な状態、ないしは正常な状態を反映する数値、文字、図形等で示される情報、あるいは当該機器の異常を示す情報を、予め設定された表示情報決定方法に従って表示することにより、フィディリティの高い、効果的な測定機器使用技術の訓練、教育を行うことのできる、測定技術訓練装置を提供することである。
【００２０】
特に本発明は、生体情報測定機器を利用した医療、看護、介護等の作業の教育、演習、訓練用技術であって、患者等の測定対象の正常時や異常時の対応訓練のために異常時や正常時を模した測定対象情報を表示する技術の提供を第一の課題とするものであるが、これに限定されず、何らかの測定をする機器全般についてその測定技術の訓練、教育をより効果的に行うことのできる、測定技術訓練装置等の提供をも、解決すべき課題として挙げる。
【課題を解決するための手段】
【００２１】
本願発明者は上記課題について検討した結果、バイタルサインズを測定する機器類、あるいは、何らかの測定をする機器全般において、意図的に異常値を表示させることのできる教育用機器の開発を思い立った。そして、生体情報等の測定対象情報を測定する生体情報測定機器と実質的に同一の外観や使用方法を有する装置を用いて、これに、生体等の測定対象の異常な状態や正常な状態を反映する数値等による情報、あるいは測定機器の異常を示す数値等による情報を予め設定された表示情報決定方法に従って表示することによって効果的な測定機器使用技術の訓練ができることを見出し、これに基づいて本発明を完成するに至った。すなわち、上記課題を解決するための手段として本願で特許請求される発明、もしくは少なくとも開示される発明は、以下の通りである。
【００２２】
〔１〕  訓練を受ける者（以下、「被訓練者」）により操作される訓練操作部と、被訓練者に対する訓練用の基礎情報（以下、「基礎情報」）が入力される基礎情報入力部と、該訓練操作部における操作に基づいて生成した信号および該基礎情報入力部に入力された信号を受けるとともに後記表示部に表示される訓練用の情報（以下、「訓練用表示」）を決定する表示決定処理部と、該表示決定処理部において決定された訓練用表示を表示する表示部とからなり、外観および使用方法が特定の測定機器と共通しており、訓練内容が該測定機器の測定技術もしくは該測定機器の測定値を用いた判断技術であることを特徴とする、測定技術訓練装置。
〔２〕  前記訓練用表示は、前記被訓練者に対して、前記測定機器による測定対象の状態、該測定機器自体の状態、または該測定機器使用方法の適否のいずれかの判断の訓練に用いられるものであることを特徴とする、〔１〕に記載の測定技術訓練装置。
〔３〕  前記訓練用表示は、数値、文字、記号、図形、色、音、ドップラー音、光、発光状態、波形、画像、映像、振動、もしくは熱、またはこれらの適宜の組み合わせとして表示されることを特徴とする、〔１〕または〔２〕に記載の測定技術訓練装置。
【００２３】
〔４〕  前記基礎情報が訓練用表示として前記表示部に表示されることを特徴とする、〔１〕ないし〔３〕のいずれかに記載の測定技術訓練装置。
〔５〕  前記訓練操作部は、前記測定機器と同様の測定機能を備えていることを特徴とする、〔４〕に記載の測定技術訓練装置。
〔６〕  前記訓練操作部は、前記測定機器と同様の測定機能を備えており、前記訓練操作部における操作に基づいて生成した信号には、該測定機能により実測したデータ（以下、「実測信号」）が含まれ、該実測信号をデータ処理するデータ処理手順が前記基礎情報として用いられ、該データ処理手順により該実測信号がデータ処理されたものが訓練用表示として表示されることを特徴とする、〔１〕ないし〔３〕のいずれかに記載の測定技術訓練装置。
〔７〕  前記訓練操作部における操作に基づいて本装置における測定終了時を決定する測定終了時決定部が設けられていることを特徴とする、〔１〕ないし〔６〕のいずれかに記載の測定技術訓練装置。
【００２４】
〔８〕  前記訓練操作部における操作に基づいて生成した信号には、本装置における測定操作開始を示す信号（以下、「開始信号」）、測定操作終了を示す信号（以下、「終了信号」）のいずれか、または両方が含まれることを特徴とする、〔１〕ないし〔７〕のいずれかに記載の測定技術訓練装置。
〔９〕  前記特定の測定機器が生体情報測定機器であることを特徴とする、〔１〕ないし〔８〕のいずれかに記載の測定技術訓練装置。
〔１０〕  前記基礎情報入力部は、外部からの該基礎情報を受信する受信部であることを特徴とする、〔１〕ないし〔９〕のいずれかに記載の測定技術訓練装置。
〔１１〕  一または二以上の〔１０〕記載の測定技術訓練装置と、制御装置とからなる測定技術訓練システムであって、該制御装置は、前記基礎情報が設定される設定部と、該測定技術訓練装置に対して該基礎情報を送信する送信部を備えていることを特徴とする、測定技術訓練システム。
【００２５】
〔１２〕  複数種類の〔１０〕記載の測定技術訓練装置で構成される一または二以上の測定技術訓練装置セットと、制御装置とからなる測定技術訓練システムであって、該制御装置は、前記基礎情報が設定される設定部と、該測定技術訓練装置セットに対して該基礎情報を送信する送信部を備え、該制御装置は該測定技術訓練装置の種類に対応して設定された各基礎情報を送信することを特徴とする、測定技術訓練システム。
〔１３〕  前記制御装置は、前記測定技術訓練装置の種類に対応して設定された各基礎情報の組であるところの訓練パターンを前記測定技術訓練装置セットに対して送信可能なように、一以上の該訓練パターンが保存される訓練パターン記憶部を備えていることを特徴とする、〔１２〕に記載の測定技術訓練システム。
〔１３−２〕  前記制御装置は、前記測定技術訓練装置の種類に対応して設定された各基礎情報の組が訓練パターンとして設定され、一以上の該訓練パターンが保存される訓練パターン記憶部を備え、一の該訓練パターンを前記測定技術訓練装置セットに対して送信可能に構成されていることを特徴とする、〔１２〕に記載の測定技術訓練システム。
【００２６】
〔１４〕  前記制御装置は、前記測定技術訓練装置の種類に対応して設定された各基礎情報の組であるところの訓練パターンを前記測定技術訓練装置セットに対して送信可能なように、該訓練パターンが生成される訓練パターン生成部を備えていることを特徴とする、〔１２〕または〔１３〕に記載の測定技術訓練システム。
〔１５〕  前記訓練パターンは、所定の測定対象における各種測定データ（以下、「訓練パターン用データ」）に基づいて生成されることを特徴とする、〔１４〕に記載の測定技術訓練システム。
〔１５−２〕  前記制御装置は、所定の測定対象における各種測定データ（以下、「訓練パターン用データ」）に基づいて各基礎情報の組であるところの訓練パターンが生成される訓練パターン生成部を備え、生成された該訓練パターンは前記訓練パターン記憶部に保存されることを特徴とする、〔１４〕に記載の測定技術訓練システム。
〔１６〕  前記制御装置は、前記訓練パターン用データを外部から受信する受信部を備えていることを特徴とする、〔１５〕に記載の測定技術訓練システム。
【００２７】
〔１７〕  前記訓練パターン用データは電子カルテからの生体情報、またはその他の生体情報であることを特徴とする、〔１５〕または〔１６〕に記載の測定技術訓練システム。
〔１７−２〕  前記訓練パターン用データは外部の電子カルテまたはその他のデータベースからの生体情報であることを特徴とする、〔１５〕ないし〔１６〕のいずれかに記載の測定技術訓練システム。
〔１８〕  〔１〕ないし〔１０〕のいずれかに記載の測定技術訓練装置を用いて行うことを特徴とする、測定技術訓練方法。
〔１９〕  〔１１〕ないし〔１７〕のいずれかに記載の測定技術訓練システムを用いて行うことを特徴とする、測定技術訓練方法。
【発明の効果】
【００２８】
本発明の測定技術訓練装置、測定技術訓練システム、および測定技術訓練方法は上述のように構成されるため、これによれば、生体情報等の測定対象情報を測定する測定機器と実質的に同一の外観、使用方法を有しつつ、生体等の測定対象の異常な状態、ないしは正常な状態を反映する数値、文字、図形等で示される情報、あるいは当該機器の異常を示す情報を、予め設定された表示情報決定方法に従って表示でき、それによってフィディリティの高い、効果的な測定機器使用技術の訓練、教育を行うことができる。また、より実際の現場や状況に近い環境、雰囲気を形成できるため、訓練効果を高めることができる。
【００２９】
本発明は、生体情報等の測定対象情報を測定する医療機器等の測定機器そのものに、意図的に変動させた値等を表示するという、従来にない技術的特徴を有するものであり、通常の測定機器を使用するのと変わらない自然な動作により訓練を効果的に実施できるという、従来にない効果を奏する。また、上述のとおり本発明は、生体情報測定機器の使用技術訓練において効果を有するが、これに限定されず、水質・大気・気候等の環境情報、その他何らかの測定をする機器全般について、その測定技術の訓練、教育をより効果的に行うことができる。
【図面の簡単な説明】
【００３０】
【図１】本発明測定技術訓練装置の基本構成を示す概念図である。
【図１−２】本発明測定技術訓練装置の別の基本構成を示す概念図である。
【図２】特定の測定終了時決定部構成を備えた本発明測定技術訓練装置の構成を示す概念図である。
【図２−２】図２に示す装置の具体例として電子体温計を模した装置について示す説明図である。
【図２−３】図２−２に例示したタイプの本発明測定技術訓練装置のブロック図である。
【図３】特定測定機器と同様の測定機能を備えている構成の本発明測定技術訓練装置の構成を示す概念図である。
【図３−２】図３に示す装置の具体例として電子体温計を模した装置について示す説明図である。
【図３−３】図３−２に例示したタイプの本発明測定技術訓練装置のブロック図である。
【図４】図３−３により示した本発明測定技術訓練装置の具体的構成例を示すブロック図である。
【図５】図３に示す装置の具体例として電子血圧計を模した装置について示す説明図である。
【図５−２】図５の要部説明図である。
【図５−３】図５の具体的構成例を示すブロック図である。
【図６】図３に示す装置の具体例として血中酸素濃度測定器を模した装置について示す説明図である。
【図６−２】図６の具体的構成例を示すブロック図である。
【図７】図３に示す装置の具体例として血糖計を模した装置について示す説明図である。
【図７−２】図７の具体的構成例を示すブロック図である。
【図８】外部からの受信部を有する本発明測定技術訓練装置の構成を示すブロック図である。
【図９】本発明測定技術訓練システムの基本構成を示すブロック図である。
【図９−２】本発明測定技術訓練システムの構成例を示すブロック図である。
【図９−３】図９−２における制御装置の設定部構成例を示す説明図である。
【図９−４】図９−２の本発明測定技術訓練システムにおける設定台の構成例を示す説明図である。
【図９−５】図９−２の本発明測定技術訓練システムにおける設定台の別の構成例を示す説明図である。
【図１０】複数種類の測定技術訓練装置を有する本発明測定技術訓練システムの基本構成を示すブロック図である。
【図１１】訓練パターン記憶部を備えた本発明測定技術訓練システムの基本構成を示すブロック図である。
【図１２】訓練パターン生成部を備えた本発明測定技術訓練システムの基本構成を示すブロック図である。
【発明を実施するための形態】
【００３１】
以下、図面も用いて本発明を詳細に説明する。
図１は、本発明測定技術訓練装置の基本構成を示す概念図である。図示するように本測定技術訓練装置１０は、訓練を受ける者（被訓練者）により操作される訓練操作部２と、被訓練者に対する訓練用の基礎情報（基礎情報）が入力される基礎情報入力部１と、訓練操作部２における操作に基づいて生成した信号および訓基礎情報入力部１に入力された信号を受けるとともに後記表示部４に表示される訓練用の情報（訓練用表示）を決定する表示決定処理部３と、表示決定処理部３において決定された訓練用表示を表示する表示部４とからなり、外観および使用方法が特定の測定機器と共通しており、訓練内容が当該測定機器（以下、「特定測定機器」ともいう）の測定技術もしくは該測定機器の測定値を用いた判断技術であることを、主たる構成とする。
【００３２】
かかる構成により本測定技術訓練装置１０では、まず、被訓練者に対する訓練用の基礎情報が基礎情報入力部１に入力される。この基礎情報は、本装置１０がその外観および使用方法を共通とする特定の測定機器における測定技術の訓練のための情報、もしくは当該測定機器の測定値を用いた判断技術の訓練のための情報である。かかる基礎情報が既に入力されている状態、もしくは入力準備されている状態で、被訓練者により訓練操作部２が操作される。この操作は、当該特定の測定機器におけるものと同様の操作である。
【００３３】
訓練操作部２における操作に基づいて生成した信号、および被訓練者により基礎情報入力部１に入力された信号は、表示決定処理部３に受け取られ、表示決定処理部３での処理を受けて表示部４に表示される訓練用表示が決定され、決定された訓練用表示が表示部４に表示される。表示部４において出力された訓練用表示が、被訓練者の当該特定測定機器の測定技術訓練、もしくは該測定機器の測定値を用いた判断技術の訓練に供される。訓練用表示は、あたかも当該特定の測定機器における測定値（実測値）であるかのように表示されるため、現実味があり、効果的な測定機器使用技術の訓練、教育に資することができる。また、より実際の現場や状況に近い環境、雰囲気を形成できるため、訓練効果を高めることができる。しかも、シミュレータのような高額な装置を要することなく、教育効果の高い訓練を行うことができる。
【００３４】
なお、訓練操作部２の具体的構成は、後述する体温計を模したタイプの場合にはその先端の検温部、またはそれを含む装置全体と捉えることができ、また血圧計の場合には設定スイッチ、またはさらにカフやゴム球等を含む装置全体と捉えることができる。つまり、特定測定機器の仕様等によって、本発明測定技術訓練装置の訓練操作部の具体的構成は異なるが、要するに被訓練者によって実際に操作される部分、取扱われる部分を、広く訓練操作部と捉えることができる。このことは、以下の全ての例において同様である。
【００３５】
図１−２は、本発明測定技術訓練装置の別の基本構成を示す概念図である。図中、（ａ）、（ｂ）２つのパターンを示している。図示するように、（ａ）に示した本測定技術訓練装置１１０ａは、被訓練者により操作される訓練操作部１２ａと、基礎情報が入力される基礎情報入力部１１ａと、訓練操作部１２ａにおける操作に基づいて生成した信号および基礎情報入力部１１ａに入力された信号を受け、かつ表示部１４ａに表示される訓練用表示を決定する表示決定処理部１３ａと、訓練用表示を表示する表示部１４ａに加え、表示決定処理部１３ａにおいて処理された結果（データ）を記憶保存する記憶部１７ａ、さらに、被訓練者による操作がなされる訓練操作部１２ａにおける測定終了時を決定する測定終了時決定部１５ａが備えられた構成である。
【００３６】
かかる構成により本測定技術訓練装置１１０ａでは、図１により説明した本装置の基本的作用に加え、表示決定処理部１３ａにおいて処理された結果（データ）は記憶部１７ａに記憶保存することができる。したがって、訓練用表示や訓練操作部１１ａによる入力信号、またこれらの少なくともいずれかに基づき表示決定処理部１３ａにおいて生成した信号を記憶部１７ａに保存しておき、事後活用することができる。
【００３７】
また、測定終了時決定部１５ａが備えられることにより、たとえばデジタル体温計のように本装置１１０ａによる訓練対象の特定測定機器が測定に時間を要するものである場合、訓練操作部１２ａにおける測定終了時が決定されるため、より現実を再現する訓練を行うことができる。なお、測定終了時決定部１５ａによって決定された測定終了時は、本図の例では表示部１４ａにおいて表示される構成である。一方、図中（ｂ）に示した測定技術訓練装置１１０ｂでは、測定終了時決定部１５ｂにより決定された測定終了時は、専用の表示部１６ｂにおいて表示される構成を示している。
【００３８】
各図に示した本発明測定技術訓練装置１０等において訓練用表示は、被訓練者に対して、特定測定機器による測定対象の状態、測定機器自体の状態、または測定機器使用方法の適否のいずれかの判断の訓練に用いられるものとすることができる。たとえば、医療・看護・介護分野における生体情報測定機器の場合であれば、生体情報測定機器を用いて知ることのできる測定対象すなわち患者の身体の状態、生体情報測定機器自体が故障していないか否か等の状態、または生体情報測定機器使用方法が適切であるか否か、の判断の訓練である。
【００３９】
また、各図に示した本発明測定技術訓練装置１０等において訓練用表示は、数値、文字、記号、図形、色、音、ドップラー音、光、発光状態、波形、画像、映像、振動、もしくは熱、またはこれらの適宜の組み合わせとして表示するものとすることができる。測定機器における測定結果の表示は通常、これらのいずれかでなされるからである。
【００４０】
以下、より具体的な実施形態を順に説明する。
＜実施形態１＞
図２は、特定の測定終了時決定部構成を備えた本発明測定技術訓練装置の構成を示す概念図である。図示するように本測定技術訓練装置２１０は、図１−２において示した測定終了時決定部を、測定開始検知部２５Ｓおよび測定終了検知部２５Ｅとを備えて構成される測定終了時決定部２５とすることを、特徴的な構成とする。
【００４１】
すなわち、測定開始検知部２５Ｓにより訓練操作部２２における測定操作の開始が検知され、計時手段など図示しない所定の測定終了時決定手段に基づく測定終了時決定処理がなされて、測定終了検知部２５Ｅにより測定終了が検知される。測定終了検知に基づく測定終了時の表示は、訓練用表示と共通の表示部であるところの表示部２４にてなされる構成、または専用の表示部２６にてなされる構成、いずれでもよい。
【００４２】
図２−２は、図２に示す装置の具体例として電子体温計を模した装置について示す説明図である。図２−２に示すように本測定技術訓練装置２１００は、従来の電子体温計と共通する外観の本体ケース２１０１を有し、かつ訓練データ入力部２２０１、音声出力部２１０５、といった入出力機能をも実際の装置（実機）に模したものである。すなわち本例装置２１００は、基礎情報（予め設定した訓練データ）が、表示決定処理部での処理を経て訓練用表示として表示部に表示される、測定技術訓練装置の例である。
【００４３】
本例測定技術訓練装置２１００は、外観、操作方法および装置としての反応は従来の生体情報計測装置と同じであるが、生体情報を実際には測定しないことを特徴とする。本装置２１００では、体温の測定開始と測定終了のタイミングを、実際の電子体温計とは異なる簡易な仕組みにより検出する。たとえば、本装置２１００の先端部が被検者の腋に挟まれたことをセンサ（圧力センサ、光センサ、静電容量センサ等）により検出して、測定が開始されたものとする。測定開始後、タイマが動作し、一定時間（あるいは、一定時間に適当な揺らぎを加えた時間）が経過した時点で、測定が終了したものとする。
【００４４】
本装置２１００の使用手順例を説明するが、本発明がこれに限定されるものではない。この点、以下全ての説明においても同様である。また、以下全ての説明において、「訓練データ入力部」とは基礎情報入力部の１タイプであり、訓練操作部を「訓練動作部」ともいい、「表示データ記憶部」、「訓練データ記憶部」は記憶部の１タイプである。また、「訓練用表示」を「訓練表示」、「訓練表示情報」、「訓練データ」ともいう。
【００４５】
１−ａ  温度設定
被訓練者に対して訓練を施す者（以下、「訓練者」。例．学生に対する教官）が、以下の手順で予め表示温度を設定する。
１−ａ−（１）  訓練データ入力部２２０１の設定スイッチ２２０２を押下して設定モードに移行する。
１−ａ−（２）  表示部２１０４に現在の設定温度（たとえば３６。５℃）が表示される。
１−ａ−（３）  設定温度が所望の温度ではない場合、上昇ボタン２２０３、または下降ボタン２２０４を１回ないし複数回押下して表示温度を調整する。表示温度は表示部２１０４に表示される。
１−ａ−（４）  表示部２１０４に所望の温度（たとえば３８。５℃）が表示されたときに、設定スイッチ２２０２を押下すると、固定モードに移行し設定を完了する。
このように、訓練者は予め、最終的に本装置の表示部２１０４に表示される体温を、訓練データ入力部２２０１での入力によって本装置２１００に設定しておく。
【００４６】
１−ｂ  測定
被訓練者が、訓練として、模擬患者の体温を測定する動作を行う。模擬患者には、別の被訓練者など実際の人間を用いても、あるいは患者模型を用いてもよい。このことは、以下全ての説明についても同様である。
１−ｂ−（１）  被訓練者が本装置２１００の電源ＯＮ／ＯＦＦスイッチ２１０３を押下し電源を入れた後に模擬患者の腋下に本装置をはさむ。
１−ｂ−（２）  金属キャップ２１０２内のセンサが電子体温計が腋にはさまれたことを検知し、温度測定動作が開始され、タイマによる時間計測が開始される。なお、センサとしては、圧力センサ、光センサ、静電容量センサ等適宜のものを用いることができる。
【００４７】
１−ｃ  表示
タイマにより所定の時間が経過すると、温度測定動作が終了し、音声出力部２１０５から終了の合図音（例．ピピッという電子音等）が発せられ、表示部２１０４に先に設定した温度が表示される。なお表示部２１０４は、液晶等適宜のものを用いることができる。
【００４８】
１−ｄ  センサ、タイマの動作例
センサ（圧力センサ、光センサ、静電容量センサ等）は、測定開始を検知して、測定開始指示の信号を送出する。タイマは、センサからの信号を受信して所定の時間を計測し、測定動作終了の信号を送出する。センサは金属キャップ２１０２部分に設置するものとすることができる。そして、圧力センサの場合は一定以上の圧力がかかった場合に、光センサの場合は一定以上の暗さになった場合に、静電容量センサの場合は静電容量が変化した場合に、電子体温計を模した本装置２１００の先端部が被検者の測定部位に装着されたものと判断し、測定開始指示の信号を送出する。
【００４９】
図２−３は、図２−２に例示したタイプの本発明測定技術訓練装置のブロック図である。すなわち本測定技術訓練装置２３１０は、訓練データが入力されると訓練データを表示決定処理部に送出する訓練データ入力部２３１と、測定開始指示を受けて測定動作を行い、測定動作が完了したら測定動作終了を示す信号を表示値決定部に送出する訓練動作部２３２と、訓練動作部２３２から信号を受け取り、予め定められた方法により表示値を決定してこれを表示部２３４に送出する表示決定処理部２３３と、表示決定処理部２３３から表示値を受け取り表示値を表示する表示部２３４とからなる構成である。なお、図示するように、測定開始検知部２３５Ｓならびに測定終了検知部２３５Ｅを備える構成、また表示データ記憶部２３７を備える構成とすることもできる。
【００５０】
かかる構成により、本測定技術訓練装置２３１０は次のとおりに機能する。まず、表示決定処理部２３３は訓練データ入力部２３１から訓練データを受け取ると、訓練データを表示データ記憶部２３７に記憶する。測定開始検知部２３５Ｓ（センサ）が測定開始を検知すると、訓練動作部２３２に測定開始を通知し、訓練動作部２３２が測定終了検知部２３５Ｅ（タイマ）を起動する。測定終了検知部２３５Ｅが所定の時間の経過を検知すると、訓練動作部２３２が表示決定処理部２３３に測定が完了したことを示す信号を送出する。表示決定処理部２３３が測定完了の信号を受け取ると表示データ記憶部２３７から訓練データを取り出して表示部２３４に送出する。そして、表示部２３４が受け取った訓練データを訓練用表示として表示する。
【００５１】
＜実施形態２＞
図３は、特定測定機器と同様の測定機能を備えている構成の本発明測定技術訓練装置の構成を示す概念図である。本装置３１０は、訓練操作部３２が、本装置の模すところの特定測定機器（実機）と同様の測定機能、すなわち測定機能部３０を備えていることを特徴的構成とする。その他の基礎情報入力部３１（訓練データ入力部）、表示決定処理部３３、表示部３４の基本構成は、既に述べた発明と同様である。
【００５２】
つまり本装置３１０は、外観、操作方法および反応が従来の生体情報測定機器と同じであり、たとえば電子体温計を模した場合であれば、体温の測定開始と測定終了のタイミングを実際の電子体温計と同じ仕組みで検出し、生体情報を実際に測定する。しかし、実機と同様の測定機能を有しはするものの、実測値は表示されず、基礎情報入力部３１（訓練データ入力部）において予め設定された訓練データが訓練用表示として、最終的に表示部３４に表示される。
【００５３】
図３−２は、図３に示す装置の具体例として電子体温計を模した装置について示す説明図である。これにより、本装置３１００の使用手順例を説明する。
２−ａ  温度設定
訓練者が以下の手順で、表示される体温を予め体温計の形態をした本装置３１００に設定する。
２−ａ−（１）  訓練データ入力部３２０１の設定スイッチ３２０２を押下して設定モードに移行する。
２−ａ−（２）  表示部３１０４に現在の設定温度（たとえば３６。５℃）が表示される。
２−ａ−（３）  設定温度が所望の温度でない場合、上昇ボタン３２０３、または下降ボタン３２０４を１回ないし複数回押下して表示温度を調整する。表示温度は表示部３１０４に表示される。
２−ａ−（４）  表示部３１０４に所望の温度（たとえば３８。５℃）が表示されたときに、設定スイッチ３２０２を押下すると固定モードに移行し、設定を完了する。
【００５４】
２−ｂ  測定
２−ｂ−（１）  被訓練者が、本装置３１００の電源ＯＮ／ＯＦＦスイッチ３１０３を押下して電源を入れた後に、模擬患者の腋下に本装置をはさむ。
２−ｂ−（２）  従来の電子体温計と同様の機能により測定が行われる。
【００５５】
２−ｃ  表示
測定が終了すると、音声出力部３１０５から終了の合図音が鳴り、表示部３１０４に、訓練データ入力部３２０１によって予め設定した温度が表示される。
【００５６】
図３−３は、図３−２に例示したタイプの本発明測定技術訓練装置のブロック図である。図示した構成により、本測定技術訓練装置３３１０は次のとおりに機能する。表示決定処理部３３３は、訓練データ入力部３３１から訓練データを受け取ると、訓練データを表示データ記憶部３３７に記憶する。測定開始検知部３３５Ｓ（センサ）が測定開始を検知すると、測定機能部３３０によって実際に測定が開始されるとともに、訓練動作部３３２に測定開始が通知され、訓練動作部３３２が測定終了検知部３３５Ｅ（タイマ）を起動する。測定終了検知部３３５Ｅが所定の時間の経過を検知すると、訓練動作部３３２が表示決定処理部３３３に測定が完了したことを示す信号を送出する。表示決定処理部３３３は、測定完了の信号を受け取ると、表示データ記憶部３３７から訓練データを取り出して表示部３３４に送出する。そして、表示部３３４が受け取った訓練データを訓練用表示として表示する。なお、測定機能部３３０が測定開始検知機能や測定終了検知機能を内包する場合があり、その場合は測定開始検知部３３５Ｓと測定終了検知部３３５Ｅが無い構成とすることも可能である。
【００５７】
図４は、図３−３により示した本発明測定技術訓練装置の具体的構成例を示すブロック図である。図示するように本測定技術訓練装置４１００は、訓練データ入力部４１０、訓練操作部４２１０、表示決定処理部４２２０、訓練データ記憶部４７０、表示部４２３０、音声出力部４２４０、電源部４２５０から構成されていて、実機同様の測定機能も備えられている。図中、訓練動作部４２１０が実機における温度計測部に該当し、また表示決定処理部４２２０は、制御回路４２２１、演算処理部４２２３、表示制御部４２２７、タイマ４２２２、ＲＡＭ４２２６、ＲＯＭ４２２４等から構成される。
【００５８】
本装置４１００が模擬患者の計測部位に装着されると、所定の周期で温度計測を開始し、取得された温度データの時間変化に基づいて体温が予測演算される。本装置４１００において表示決定処理部４２２０は、以下のように動作する。電源部４２５０がＯＮされると本装置４１００の初期化が行われ、サーミスタによる温度計測が開始される。たとえば、演算処理部４２２３では、所定間隔で温度データの演算が行われる。ついで、計測開始条件が成立したか否かが判断される。具体的には、前回の温度計測により演算された温度データの値からの上昇度が、所定の値以上となったか否かが判断される。
【００５９】
上昇度が所定の値以上と判断された場合には計測開始条件成立と判断、当該温度データを計測したタイミングが予測体温演算の基準点（ｔ＝０）として設定される。つまり本装置４１００では、急激な温度上昇の計測によって本装置４１００が所定の計測部位（腋下等）に装着されたとみなされる。そして、温度データの取込みが開始される。つまり、計測された温度データとその計測タイミングが時系列データとしてＲＡＭ４２２６に記憶される。
【００６０】
記憶された温度データを用いた所定の予測演算手順によって予測体温が演算される。そして、基準点（ｔ＝０）から所定時間経過した後に、算出された一定区間における予測値が、予め設定された予測成立条件を満たすか否か、すなわち所定の温度範囲以内であるか否かが判断される。満たすと判断された場合には、温度計測を終了するとともにそれを示す音声が音声出力部４２４０に出力され、表示部４２３０には訓練データ記憶部４７０から取得した訓練データが訓練用表示として表示される。
【００６１】
図５は、図３に示す装置の具体例として電子血圧計を模した装置について示す説明図である。また、
図５−２は図５の要部説明図、
図５−３は図５の具体的構成例を示すブロック図である。図５等に示すように電子血圧計を模した本測定技術訓練装置５１００は、本体部５１０、被測定者の所定の身体部位（例．上腕）に巻付けるためのカフ５２０、本体部５１０とカフ５２０とを接続するエアチューブ５２４Ａ、ゴム球５３０のような加圧機構、およびそれと本体部５１０とを接続するエアチューブ５２４Ｂを備えて構成される。ゴム球５３０は圧縮操作されることにより、エアチューブ５２４Ａ、５２４Ｂを介してカフ５２０に空気を送り込む。
【００６２】
本体部５１０の表面５１０Ａには、測定結果などを表示する表示部５４０と、指示入力用の操作部５４１とが配置される。操作部５４１はたとえば、電源のＯＮ／ＯＦＦを切替えるための電源スイッチ５４１Ａ、測定開始の指示を入力するための測定スイッチ５４１Ｂ、および過去の測定結果を読出して表示する指示を入力するためのメモリスイッチ５４１Ｃを含む構成とすることができる。表示部５４０には、液晶等適宜のものを用いることができる。本体部５１０の左側面５１０Ｂにはエアチューブ２４Ａ、２４Ｂが接続され、また本例装置５１００では、ここに訓練データ入力部５２０１が設けられている。
【００６３】
本装置５１００の使用手順例を説明する。
３−ａ  表示血圧値設定
訓練者が以下の手順で、表示される血圧値を予め体温計の形態をした本装置５１００に設定する。
３−ａ−（１）  訓練データ入力部５２０１の設定スイッチ５２０２を押下して最低血圧設定モードに移行する。
３−ａ−（２）  現在の設定値（たとえば８０ｍｍＨｇ）が表示部５４０に表示される。
３−ａ−（３）  設定値が所望の値でない場合、上昇ボタン５２０３、または下降ボタン５２０４を１回ないし複数回押下して表示値を調整する。表示値は表示部５４０に表示される。
【００６４】
３−ａ−（４）  表示部５４０に所望の値（たとえば１１３ｍｍＨｇ）が表示されたときに設定スイッチ５２０２を押下すると最低血圧値が訓練データ記憶部５７０に登録され、最高血圧設定モードに移行する。
３−ａ−（５）  続いて同様に最高血圧値（たとえば１８０ｍｍＨｇ）を設定して、設定スイッチ５２０２を押下すると最高血圧値が訓練データ記憶部５７０に登録され、固定モードに移行する。
３−ａ−（６）  設定スイッチ５２０２は押下するたびに以下のようにモードが移行する。
固定モード→最低血圧設定モード→最高血圧設定モード→固定モード
【００６５】
３−ｂ  測定
被訓練者が模擬患者の血圧を測定する。本装置５１００に対して所定の測定操作を行う。
３−ｃ  表示
測定が終了すると、ブザー５４４が報知し、予め設定された最低／最高血圧値（たとえば１１３ｍｍＨｇ／１８０ｍｍＨｇ）が表示決定処理部５２２０での処理を経て表示部５４０に表示される。
【００６６】
図６は、図３に示す装置の具体例として血中酸素濃度測定器を模した装置について示す説明図である。また、
図６−２は図６の具体的構成例を示すブロック図である。図６−２に示すように本測定技術訓練装置６１００は、人体の一部（例．指、腕）に装着されるセンサ部６２、センサ部６２からの信号が入力され演算処理する測定部６３から主として構成される。センサ部６２は、生体組織中で異なる波長の光を発光する第１発光素子６４、第２発光素子６５と、組織を透過する異なる波長の光を受光して各発光素子６４、６５の各波長の光強度に対応した電流信号を出力する受光素子６６とを備え、各発光素子６４、６５と受光素子６６とは手指等（図中、Ｆ）の組織を介して互いに対向するように配置される。第１発光素子６４は第１光駆動回路６７、第２発光素子６５は第２光駆動回路６８にそれぞれ接続され、各回路６７、６８は、マイクロコンピュータ６２０に内蔵されたタイミング回路６２２により生成されるタイミングによって制御される。
【００６７】
測定部６３は、受光素子６６から入力される光強度に対応した電流信号を電圧信号に変換する電流電圧変換回路６９、電流電圧変換回路６９から出力される電圧信号をデジタル化するＡ／Ｄ変換器６１０、マイクロコンピュータ６２０、およびマイクロコンピュータ６２０のＣＰＵ６２３からの演算処理データを表示する表示部６１１を備えて構成される。マイクロコンピュータ６２０は、デジタルフィルタである櫛形フィルタ６２１、タイミング回路６２２、およびＣＰＵ６２３が内蔵されていて、第１光駆動回路６７、第２光駆動回路６８、およびＡ／Ｄ変換器６１０を制御する。
【００６８】
本装置６１００の使用手順例を説明する。
４−ａ  表示酸素濃度の設定
４−ａ−（１）  訓練データ入力部６２０１の設定スイッチ６２０２を押下して酸素濃度設定モードに移行する。
４−ａ−（２）  現在の設定値（たとえば９５％ＳｐＯ２）が表示部６１１に表示される。
４−ａ−（３）  設定値が所望の値でない場合、上昇ボタン６２０３、または下降ボタン６２０４を１回ないし複数回押下して表示値を調整する。表示値は表示部６１１に表示される。
４−ａ−（４）  表示部６１１に所望の値（たとえば８０％ＳｐＯ２）が表示されたときに設定スイッチ６２０２を押下すると、酸素濃度が訓練データ記憶部６７０に登録され、固定モードに移行する。
４−ａ−（５）  設定スイッチ６２０２は押下するたびに以下のようにモードが移行する。
固定モード→酸素濃度設定モード→固定モード
【００６９】
４−ｂ  測定
被訓練者が模擬患者の血中酸素濃度を測定する。本装置６１００に対して所定の測定操作を行う。
４−ｃ  表示
測定が終了すると、表示決定処理部６２２０が訓練データ記憶部６７０から予め設定された血中酸素濃度（たとえば８０％ＳｐＯ２）の値を読み出し、表示部６１１に送り、それが表示部６１１に表示される。
【００７０】
図７は、図３に示す装置の具体例として血糖計を模した装置について示す説明図である。また、
図７−２は図７の具体的構成例を示すブロック図である。図７−２に示すように血糖計を模した本測定技術訓練装置７１００は、測定処理部７５１６は、点着判定部７１５が試験紙７５１１に血液Ｂが点着したと判定したことによって出力される制御信号を受けて起動し、測定処理を開始する。そして、内部のタイマを動作させ、予め決められた時間を計時する。測定処理部７５１６は、タイマが計時を完了するまで、光学測定部７１０３に装着された測定チップの試験紙に、赤ＬＥＤ７００３および緑ＬＥＤ７００９の光をそれぞれ照射し、計時完了後、Ａ／Ｄ変換器から出力されるデジタルデータを受けて血糖値を算出する、という構成を備えている。
【００７１】
本装置７１００の使用手順例を説明する。
５−ａ  表示血糖値の設定
５−ａ−（１）  訓練データ入力部７３０１の設定スイッチ７３０２を押下して血糖値設定モードに移行する。
５−ａ−（２）  現在の設定値（たとえば１００ｍｇ／ｄＬ）が表示部７１０５に表示される。
５−ａ−（３）  設定値が所望の値でない場合、上昇ボタン７３０３、または下降ボタン７３０４を１回ないし複数回押下して表示値を調整する。表示値は表示部７１０５に表示される。
５−ａ−（４）  表示部７１０５に所望の値（たとえば２５０ｍｇ／ｄＬ）が表示されたときに設定スイッチ７３０２を押下すると血糖値が訓練データ記憶部７７０に登録され、固定モードに移行する。
５−ａ−（５）  設定スイッチ７３０２は押下するたびに以下のようにモードが移行する。
固定モード→血糖値設定モード→固定モード
【００７２】
５−ｂ  測定
被訓練者が本装置７１００に対して所定の測定操作を行い、模擬患者の血糖値を測定する。
５−ｃ  表示
測定が終了すると、表示決定処理部７２２０が訓練データ記憶部７７０から予め設定された血糖値（たとえば２５０ｍｇ／ｄＬ）を読み出し、それが表示部７１１に表示される。
【００７３】
＜実施形態３＞
また、特に図示はしないが、訓練操作部（訓練動作部）は図３〜７−２を用いて説明した本発明装置と同じく特定測定機器と同様の測定機能を備えていて、訓練操作部における操作に基づいて生成した信号には測定機能により実測したデータ（実測信号）が含まれ、実測信号をデータ処理するデータ処理手順が訓練用の基礎情報として用いられ、当該データ処理手順により実測信号がデータ処理されたものが訓練用表示として表示される構成の測定技術訓練装置も、本発明の範囲内である。つまり、図３〜７−２で説明した実施形態２の各装置との相違は、測定機能部により測定された実測信号が、訓練用表示の生成に関与するか否かである。
【００７４】
本実施形態における測定技術訓練装置は、外観、操作方法および装置としての反応は従来の特定測定機器と同じであり、生体情報等を実際に測定し、実際の測定結果を表示決定処理部に伝えるが、表示決定処理部において、実際の測定結果（実測信号）に所定の演算処理が施され、その結果が表示部に表示される。
実施形態２の各装置と比べると、たとえば体温計を模した装置の場合、体温の測定開始と測定終了のタイミングの検出は同じであるが、実測体温データが表示決定処理部に伝えられて、所定の処理のなされる点が異なる。
【００７５】
体温計を模した装置を例にとって、本発明実施形態３の測定技術訓練装置の使用手順例を説明する。
６−ａ  データ処理手順（演算等）の設定
訓練者が、表示される体温の演算方法を、基礎情報入力部（訓練データ入力部）から予め設定する。
６−ｂ  測定
被訓練者が本装置を模擬患者の腋に挟むことで、通常の電子体温計と同様の機能により体温測定が行われる。
６−ｃ  処理と表示
測定が終了したら、測定終了の合図が表示され、実際の測定結果に予め設定されたデータ処理手順（演算等）を加えて得られた結果が表示部に送られ、それが表示部において、訓練用表示の体温として表示される。
【００７６】
６−ｄ  演算方法の例
データ処理手順として演算がなされる場合、たとえば次のような演算を用いることができるが、本発明はこれに限定されない。
ｆ（ｘ，ｙ）＝ｘ  ：訓練者が設定した表示値ｘをそのまま表示
ｆ（ｘ，ｙ）＝ｙ  ：実測値ｙをそのまま表示
ｆ（ｘ，ｙ）＝ｙ＋Ｃ  ：実測値ｙに一定値Ｃを加算して表示
ｆ（ｘ，ｙ）＝ｙ＋ｒａｎｄｏｍ（０，ｘ）：実測値ｙに０からｘの間のランダムな値を加算
【００７７】
なお、前出図２−２等にても示したが、本発明測定技術訓練装置においては、訓練操作部における操作に基づいて本装置における測定終了時を決定する測定終了時決定部を設ける構成とすることができる。測定終了時決定部は、測定開始時点を検知する測定開始検知部、および、タイマの計時や測定経過に基づく判定処理など適宜の方式によって測定終了時を検知する測定終了検知部を備えた構成とすることができる。また、訓練操作部における操作に基づいて生成した信号には、本装置における測定操作開始を示す信号（開始信号）、測定操作終了を示す信号（終了信号）のいずれか、または両方を含むものとすることができる。
【００７８】
＜実施形態４＞
図８は、外部からの受信部を有する本発明測定技術訓練装置の構成を示すブロック図である。図示するように本測定技術訓練装置８１０は、基礎情報入力部が、外部からの基礎情報を受信する受信部８１であることを、特徴的な構成とする。つまり、既に説明した実施形態１〜３の測定技術訓練装置の基礎情報入力部（訓練データ入力部）が、外部の制御装置等に由来する基礎情報（訓練データ  データ処理手順を含む）が受信という形態で入力される基礎情報入力部すなわち受信部８１に置き換わった形態である。その他の構成は、実施形態１〜３の各装置における構成をそのまま用いることができる。なお、受信部８１における受信方式は、外部の制御装置等からの有線通信もしくは無線通信の他、たとえばＵＳＢ接続による受信や電子記録媒体による受信も、広く含むものとする。
【００７９】
体温計を模した測定技術訓練装置を例にとって、本実施形態の使用手順例を説明する。
７−ａ  基礎情報の設定
訓練者が、たとえばパーソナルコンピュータ等の制御装置上において、測定技術訓練装置８１０に表示される、もしくはその表示決定に用いられる体温データを予め設定する。
７−ｂ  送信
設定された体温データが制御装置から測定技術訓練装置８１０に送信され、受信部８１で受信され、表示データ記憶部等の記憶部８７に記憶される。
【００８０】
７−ｃ  測定、表示
被訓練者が本装置８１０を模擬患者の腋に挟んで、測定開始する。測定が終了すると測定終了の合図が発せられ、表示決定処理部８３による処理を経て、表示部８４に予め設定した体温が表示される。
なお本例では、基礎情報がそのまま訓練用表示として用いられる例で説明したが、実施形態３のようにデータ処理手順が加えられる例も、もちろん含まれる。以下説明する全ての本発明においても、同様である。
【００８１】
＜実施形態５＞
図９は、本発明測定技術訓練システムの基本構成を示すブロック図である。図示するように本測定技術訓練システム９０００は、一または二以上の、これまで説明したいずれかの測定技術訓練装置９１０と、制御装置９６０とからなるシステムであって、制御装置９６０は、基礎情報（訓練表示情報、訓練データ）が設定される設定部９７０（以下、「訓練表示情報設定部」ともいう）と、測定技術訓練装置９１０に対して基礎情報を送信する送信部９８０とを備えていることを、主たる構成とする。特に、測定技術訓練装置を二以上用いた場合は、全ての測定技術訓練装置に対して、一回の操作により同時に基礎情報を送信することができるシステムを構築できる。なお、図では、９１０、９１０２、９１０３という三の測定技術訓練装置が示されているが、本発明はこれに限定されず、測定技術訓練装置の数は一でも、二でも、また四以上でもよい。
【００８２】
体温計を模した測定技術訓練装置を用いた例により、本測定技術訓練システム９０００の使用手順例を説明する。
８−ａ  基礎情報の設定
訓練者が、制御装置９６０上において、測定技術訓練装置９１０に表示される、もしくはその表示決定に用いられる体温データを予め設定する。
８−ｂ  送信
設定された体温データが制御装置９６０から複数台の測定技術訓練装置９１０、・・・に一斉に送信され、それぞれの測定技術訓練装置の受信部（基礎情報入力部）９５０、・・・で受信され、記憶される。
【００８３】
８−ｃ  測定
複数の被訓練者が、それぞれの測定技術訓練装置９１０、・・・をそれぞれの模擬患者の腋に挟み、測定を開始する。
８−ｄ  表示
測定が終了すると、測定終了の合図が発せられ、表示決定処理部９３０による処理を経て、表示部９４０に予め設定した体温が表示される。
【００８４】
図９−２は、本発明測定技術訓練システムの構成例を示すブロック図である。また、
図９−３は、図９−２における制御装置の設定部構成例を示す説明図である。本例は、複数の被訓練者を指導する場合に効率よく設定を行うことのできる実施例である。体温計を模した測定技術訓練装置を用いた例により、本測定技術訓練システム９２００の使用手順例を説明する。
【００８５】
９−ａ  基礎情報の設定、送信
訓練者が、以下の手順で複数台の測定技術訓練装置９２１０、・・・の表示温度を一括設定する。
９−ａ−（１）  複数台の測定技術訓練装置９２１０、・・・を設定台９２９０にセットする。
９−ａ−（２）  訓練者が、設定用パーソナルコンピュータ等の設定装置９２６０により訓練表示温度データを入力し、設定台９２９０上の送信部９２８０から測定技術訓練装置９２１０、・・・に対して送信を行う。
９−ａ−（３）  訓練者の送信した訓練表示温度データを、各測定技術訓練装置９２１０、・・・の受信部９２５０、・・・が受信する。
【００８６】
９−ｂ  測定
９−ｂ−（１）  各被訓練者が各模擬患者の体温を測定する動作を行う。すなわち、各測定技術訓練装置９２１０、・・・の電源ＯＮ／ＯＦＦスイッチを押下して電源を入れた後に、模擬患者の腋下にこれをはさむ。
９−ｂ−（２）  金属キャップ内のセンサが測定技術訓練装置９２１０が腋にはさまれたことを検知して温度測定動作が開始され、タイマによる時間計測が開始される。
９−ｃ  表示
測定開始後所定の時間が経過すると温度測定動作が終了し、終了の合図音が発せられ、表示決定処理部による処理を経て、表示部に予め設定した体温が表示される。
【００８７】
制御装置９２９６は、設定用パーソナルコンピュータ等の設定装置９２６０と設定台９２９０とで構成される。設定台９２９０は、測定技術訓練装置９２１０に訓練表示を入力せしめるためのものである。設定装置９２６０と設定台９２９０はＵＳＢ等の有線、あるいはＷＩＦＩ等の無線方式で接続するものとすることができる。設定装置９２６０は訓練表示情報設定部９２７１を有する。そして、たとえば図９−３に示すように、表示装置上の設定画面を操作して設定する機器の種別を選択し、表示数値を設定することができる。また、設定台９２９０は送信部９２８０を有し、ＮＦＣ等の無線方式により、設定装置９２６０から受け取った訓練表示データを測定技術訓練装置９２１０に対して送信する。
【００８８】
図９−４は、図９−２の本発明測定技術訓練システムにおける設定台の構成例を示す説明図であり、複数台の測定技術訓練装置の収納および表示値設定を行うための、容器状の設定台である。なお、図中（ａ）は側面図、（ｂ）は平面図である。図示するように本設定台９３９０は、複数の測定技術訓練装置９３１０、・・・を収納するとともに、設定装置９３６０からの設定を受ける構成である。すなわち、測定技術訓練装置９３１０、・・・が安定性よく収納され、省スペース状態かつ整理された状態で、設定台９３９０と有線または無線で接続した設定装置９３６０から受信した訓練表示データが、ＮＦＣ等の無線方式を用いて測定技術訓練装置９３１０、・・・に一斉に送信され、入力、設定される。
【００８９】
図９−５は、図９−２の本発明測定技術訓練システムにおける設定台の別の構成例を示す説明図である。本例のように、設定台９４９０は測定技術訓練装置９４１０を載置できる板状の形態であってもよい。本例の設定台９４９０では、その上に、訓練表示を設定する一台または複数台の測定技術訓練装置９４１０を置いた状態で、設定台９４９０と有線または無線で接続した設定装置９４６０により訓練表示データを設定すると、設定台９４９０と測定技術訓練装置９４１０間でＮＦＣ等の無線方式によりデータ通信を行い、訓練表示データが、ＮＦＣ等の無線方式を用いて測定技術訓練装置９４１０に送信され、入力、設定される。複数の測定技術訓練装置９４１０、・・・が載置された場合は、一斉に設定可能である。
【００９０】
＜実施形態６＞
図１０は、複数種類の測定技術訓練装置を有する本発明測定技術訓練システムの基本構成を示すブロック図である。図示するように本測定技術訓練システムＸ１００は、複数種類の測定技術訓練装置Ｘ１０、Ｘ１０ｂ、・・・で構成される一または二以上の測定技術訓練装置セットＸ１０Ｓと、制御装置Ｘ６０とからなるシステムであって、制御装置Ｘ６０は、基礎情報が設定される設定部Ｘ７０と、測定技術訓練装置セットＸ１０Ｓに対して基礎情報を送信する送信部Ｘ８０を備え、制御装置Ｘ６０は測定技術訓練装置Ｘ１０、Ｘ１０ｂ、・・・の種類に対応して設定された各基礎情報を各測定技術訓練装置に対して送信するよう形成されていることを、主たる構成とする。なお、図では測定技術訓練装置の種類は、Ｘ１０、Ｘ１０ｂ、Ｘ１０ｃの三種類の例が示されているが、本発明はこれに限定されず、二種類でも、四種類以上でもよい。また、測定技術訓練装置セットＸ１０Ｓは二セットのみが示されているが、一であっても、三以上であってももちろんよい。
【００９１】
体温計、血圧計、血中酸素濃度測定器をそれぞれ模した測定技術訓練装置のセットの例で、本測定技術訓練システムＸ１００の使用手順例を説明する。
１０−ａ  基礎情報の設定、送信
１０−ａ−（１）  訓練者が制御装置Ｘ６０で各測定技術訓練装置Ｘ１０等に表示される生体情報（体温、血圧、血中酸素濃度）の値を設定する。
１０−ａ−（２）  設定した生体情報の値が制御装置Ｘ６０から該当する種類の各測定技術訓練装置Ｘ１０等に送信される。つまり、体温は、体温計を模した測定技術訓練装置全てに、血圧は、血圧計を模した測定技術訓練装置全てに、血中酸素濃度は、血中酸素濃度測定器を模した測定技術訓練装置全てに、それぞれ送信される。
【００９２】
１０−ｂ  測定
被訓練者が模擬患者に対し各測定技術訓練装置Ｘ１０等の測定動作を行うと、通常の各特定測定機器と同様の機能により測定が行われる。
１０−ｃ  表示
測定が終了すると測定終了の合図が発せられ、表示決定処理部Ｘ３０等による処理を経て、表示部Ｘ４０等に予め設定した各生体情報の値が表示される。
【００９３】
＜実施形態７＞
図１１は、訓練パターン記憶部を備えた本発明測定技術訓練システムの基本構成を示すブロック図である。図示するように、本測定技術訓練システムＹ１００は図１０に示したシステムＸ１００のヴァリエーションであって、制御装置Ｙ６０が、測定技術訓練装置Ｙ１０、Ｙ１０ｂ、・・・等の種類に対応して設定された各基礎情報の組であるところの訓練パターンを、測定技術訓練装置セットＹ１０Ｓに対して送信可能なように、一以上の訓練パターンが保存される訓練パターン記憶部Ｙ９０（「訓練パターン格納部」ともいう）を備えていることを、主たる構成とする。なお、図では測定技術訓練装置の種類は、Ｙ１０、Ｙ１０ｂ、Ｙ１０ｃの三種類の例が示されているが、本発明はこれに限定されず、二種類でも、四種類以上でもよい。また、測定技術訓練装置セットＹ１０Ｓは一のみが示されているが、二以上であってももちろんよい。
【００９４】
つまり本実施形態によれば、設定部Ｙ７０において訓練パターンの一つが選択された場合に、当該訓練パターンに含まれる訓練データが、所定の測定技術訓練装置Ｙ１０、Ｙ１０ｂ、・・・に対して送信される。一定の現象に対して複数種類の測定方法が存在する場合、逆に各種の測定データの組み合わせから特定の現象の発生を判断し得るが、本実施形態は、かかる測定データの組み合わせパターンにより測定対象において発生している現象を判断する訓練に適している。
【００９５】
なお、このような測定技術訓練装置の種類に対応して設定された各基礎情報の組からなる訓練パターンは、制御装置Ｙ６０において作成、設定されてもよいし、外部で作成されたものを受信する等して制御装置Ｙ６０内で設定したり、記憶するのでもよい。
【００９６】
体温計、血圧計、血中酸素濃度測定器をそれぞれ模した測定技術訓練装置のセットの例で、本測定技術訓練システムＹ１００の使用手順例を説明する。
１１−ａ  訓練パターンの設定
１１−ａ−（１）  訓練者が制御装置Ｙ６０において、各測定技術訓練装置Ｙ１０等に表示される生体情報（体温、血圧、血中酸素濃度）の訓練パターンを設定する。訓練パターンは、訓練パターン記憶部Ｙ９０（訓練パターン格納部）に記憶させておく。
１１−ａ−（２）  たとえば、訓練パターン「肺炎患者」とした場合の例は下記のとおりである。
訓練パターンの例：「肺炎患者（既往歴：糖尿病）：体温＝３８。５℃、ＳｐＯ２＝８７％、脈拍＝１２０ＢＰＭ、血圧＝１４０／１８０ｍｍＨｇ、血糖値＝２５０ｍｇ／ｄＬ」
【００９７】
１１−ｂ  訓練パターンの送信
設定した訓練パターンに対応する訓練データが訓練パターン記憶部Ｙ９０（訓練パターン格納部）から検索され、制御装置Ｙ６０からそれぞれ該当する種類の全ての測定技術訓練装置Ｙ１０等に送信される。つまり、体温は、体温計を模した測定技術訓練装置全てに、血圧は、血圧計を模した測定技術訓練装置全てに、血中酸素濃度は、血中酸素濃度測定器を模した測定技術訓練装置全てに、それぞれ送信される。
【００９８】
１１−ｃ  測定
被訓練者が模擬患者に対し各測定技術訓練装置Ｙ１０等の測定動作を行うと、通常の各特定測定機器と同様の機能により測定が行われる。
１１−ｄ  表示
測定が終了すると測定終了の合図が発せられ、表示決定処理部Ｙ３０等による処理を経て、表示部Ｙ４０等に予め設定した各生体情報の値が表示される。
【００９９】
＜実施形態８＞
図１２は、訓練パターン生成部を備えた本発明測定技術訓練システムの基本構成を示すブロック図である。図示するように、本測定技術訓練システムＺ１０００は、図１０、１１に示した各システムＸ１００、Ｙ１００のヴァリエーションであって、制御装置Ｚ６０は、測定技術訓練装置Ｚ１０、Ｚ１０ｂ、・・・の種類に対応して設定された各基礎情報の組であるところの訓練パターンを測定技術訓練装置セットＺ１０Ｓに対して送信可能なように、訓練パターンが生成される訓練パターン生成部Ｚ１１０を備えていることを、主たる構成とする。なお、図では測定技術訓練装置の種類は、Ｚ１０、Ｚ１０ｂ、Ｚ１０ｃの三種類の例が示されているが、本発明はこれに限定されず、二種類でも、四種類以上でもよい。また、測定技術訓練装置セットＺ１０Ｓは一のみが示されているが、二以上であってももちろんよい。
【０１００】
訓練パターンは、所定の測定対象における各種測定データ（訓練パターン用データ）に基づいて生成するものとすることができる。一つの訓練パターンに対して複数の訓練データの組が対応することになる。生体情報測定機器の訓練目的であれば、たとえば電子カルテ等、外部のデータベースから得る匿名化された生体情報を利用することができる。かかる匿名化された生体情報を本システムＺ１０００の制御装置Ｚ６０の受信部Ｚ１００が受信すると、制御装置Ｚ６０の訓練パターン生成部Ｚ１１０が当該生体情報から訓練パターンを生成することができる。生成された訓練パターンは、訓練パターン記憶部Ｚ９０に格納される。
【０１０１】
測定技術訓練システムの使用手順は、基本的に前述の実施形態７と同じであるが、訓練パターン記憶部Ｚ９０から検索される訓練データがより多様になる。たとえば、訓練パターン「肺炎患者」を選択すると、複数の訓練データの組から一つが選択されて、測定技術訓練装置Ｚ１０等に設定される。
【０１０２】
訓練パターン用データは、制御装置Ｚ６０自身において保存されているもの、作成されるものを用いてもよいし、また外部から得てもよい。図では、制御装置Ｚ６０に、訓練パターン用データを外部から受信する受信部Ｚ１００が備えられている構成を示すが、これには限定されない。また、受信には、有線・無線の通信の他、ＵＳＢ接続や電子記録媒体によるデータの取得も広く含む。
【０１０３】
また、本測定技術訓練システムを特に医療・看護・介護分野での生体情報測定機器の使用技術訓練に用いる場合、訓練パターン用データとして、上述した電子カルテからの生体情報、またはその他のデータベースからのものを含む生体情報を用いて、効果的な訓練パターンを構築することができる。
【０１０４】
以上説明した測定技術訓練装置、または測定技術訓練システムを用いて行う測定技術訓練方法も、本発明の範囲内である。また、以上の説明は主として生体情報測定機器の測定技術訓練を例として挙げたが、本発明がかかる分野に限定されないことは既述のとおりである。
【産業上の利用可能性】
【０１０５】
本発明の測定技術訓練装置、測定技術訓練システム、および測定技術訓練方法によれば、生体情報等の測定対象情報を測定する測定機器と実質的に同一の外観、使用方法を有しつつ、生体等の測定対象の状態を反映する数値等の情報を、予め設定された表示情報決定方法に従って表示でき、それによってフィディリティの高い、効果的な測定機器使用技術の訓練、教育を行うことができる。したがって、医療、介護、福祉分野を初め、測定機器の使用技術の訓練が必要または有用な全分野において、産業上利用性が高い発明である。
【符号の説明】
【０１０６】
１、１１ａ、１１ｂ、２１…基礎情報入力部
２、１２ａ、１２ｂ、２２…訓練操作部
３、１３ａ、１３ｂ、２３、２３３…表示決定処理部
４、１４ａ、１４ｂ、２４、２３４…表示部
１０、１１０ａ、１１０ｂ、２１０、２１００、２３１０…測定技術訓練装置
１５ａ、１５ｂ、２５…測定終了時決定部
１６ｂ、２６…表示部（測定終了時の）
１７ａ、１７ｂ、２７…記憶部
２５Ｅ、２３５Ｅ…測定終了検知部
２５Ｓ、２３５Ｓ…測定開始検知部
２１０１…本体ケース
２１０２…金属キャップ
２１０３…電源ＯＮ／ＯＦＦスイッチ
２１０４…表示部
２１０５…音声出力部
２２０１…訓練データ入力部
２２０２…設定スイッチ
２２０３…上昇ボタン
２２０４…下降ボタン
２３１…訓練データ入力部
２３２…訓練動作部
２３７…表示データ記憶部
【０１０７】
３０…測定機能部
３１…基礎情報入力部
３２…訓練操作部
３３…表示決定処理部
３４…表示部
３１０、３１００…測定技術訓練装置
３１０１…本体ケース
３１０２…金属キャップ
３１０３…電源ＯＮ／ＯＦＦスイッチ
３１０４…表示部
３１０５…音声出力部
３２０１…訓練データ入力部
３２０２…設定スイッチ
３２０３…上昇ボタン
３２０４…下降ボタン
【０１０８】
４１００…測定技術訓練装置
４１０…訓練データ入力部
４２１０…訓練操作部
４２２０…表示決定処理部
４２２１…制御回路
４２２３…演算処理部
４２２７…表示制御部
４２２２…タイマ
４２２６…ＲＡＭ
４２２４…ＲＯＭ
４２２５…ＥＥＰＲＯＭ
４７０…訓練データ記憶部
４２３０…表示部
４２４０…音声出力部
４２５０…電源部
【０１０９】
５０００…ＣＰＵ
５１００…測定技術訓練装置
５１０…本体部
５１０Ａ…本体部の表面
５１０Ｂ…本体部の左側面
５２０…カフ
５２１…空気袋
５２０１…訓練データ入力部
５２０２…設定スイッチ
５２０３…上昇ボタン
５２０４…下降ボタン
５２２０…表示決定処理部
５２４、５２４Ａ、５２４Ｂ…エアチューブ
５３０…ゴム球
５３１…空気孔
５３２…圧力センサ
５３５…発振回路
５３９…メモリ部
５４０…表示部
５４１…操作部
５４１Ａ…電源スイッチ
５４１Ｂ…測定スイッチ
５４１Ｃ…メモリスイッチ
５４３…計時部
５４４…ブザー
５４５…ＬＥＤ
５４２…電源部
５７０…訓練データ記憶部
【０１１０】
６１０…Ａ／Ｄ変換器
６１００…測定技術訓練装置
６１１…表示部
６２…センサ部
６２０…マイクロコンピュータ
６２０１…訓練データ入力部
６２０２…設定スイッチ
６２０３…上昇ボタン
６２０４…下降ボタン
６２１…デジタルフィルタ（櫛形フィルタ）
６２２…タイミング回路
６２２０…表示決定処理部
６２３…ＣＰＵ
６３…測定部
６４…第１発光素子
６５…第２発光素子
６６…受光素子
６７…第１光駆動回路
６７０…訓練データ記憶部
６８…第２光駆動回路
６９…電流電圧変換回路
【０１１１】
７００３…赤ＬＥＤ
７００９…緑ＬＥＤ
７１００…測定技術訓練装置
７１００…本装置
７１０１…本体
７１０３…光学測定部
７１０４…イジェクトレバー
７１０５…表示部
７１０６…操作パネル
７２２０…表示決定処理部
７２０２…回路基板
７３０１…訓練データ入力部
７３０２…設定スイッチ
７３０３…上昇ボタン
７３０４…下降ボタン
７５１１…試験紙
７５１３…チップ装着判定部
７５１５…点着判定部
７５１６…測定処理部
７５１７…チップ離脱判定部
７５１８…制御部
７７０…訓練データ記憶部
【０１１２】
８１…受信部（基礎情報入力部）
８２…訓練動作部
８３…表示決定処理部
８４…表示部
８７…表示データ記憶部
８１０…測定技術訓練装置
【０１１３】
９０００…測定技術訓練システム
９１０、９１０２、９１０３…測定技術訓練装置
９２０…訓練動作部
９３０…表示決定処理部
９４０…表示部
９５０…受信部（基礎情報入力部）
９６０…制御装置
９７０…設定部（訓練表示情報設定部）
９８０…送信部
９２００…測定技術訓練システム
９２１０、９３１０、９４１０…測定技術訓練装置
９２５０…受信部
９２６０、９３６０、９４６０…設定装置
９２７１…訓練表示情報設定部
９２８０…送信部
９２９０、９３９０、９４９０…設定台
９２９６…制御装置
【０１１４】
Ｘ１０、Ｘ１０ｂ、Ｘ１０ｃ…測定技術訓練装置
Ｘ１０Ｓ…測定技術訓練装置セット
Ｘ２０…訓練動作部
Ｘ３０…表示決定処理部
Ｘ４０…表示部
Ｘ５０…受信部
Ｘ６０…制御装置
Ｘ７０…設定部（訓練表示情報設定部）
Ｘ８０…送信部
Ｘ１００…測定技術訓練システム
【０１１５】
Ｙ１０、Ｙ１０ｂ、Ｙ１０ｃ…測定技術訓練装置
Ｙ１０Ｓ…測定技術訓練装置セット
Ｙ２０…訓練動作部
Ｙ３０…表示決定処理部
Ｙ４０…表示部
Ｙ５０…受信部
Ｙ６０…制御装置
Ｙ７０…設定部（訓練表示情報設定部）
Ｙ８０…送信部
Ｙ９０…訓練パターン記憶部（訓練パターン格納部）
Ｙ１００…測定技術訓練システム
【０１１６】
Ｚ１０、Ｚ１０ｂ、Ｚ１０ｃ…測定技術訓練装置
Ｚ１０Ｓ…測定技術訓練装置セット
Ｚ２０…訓練動作部
Ｚ３０…表示決定処理部
Ｚ４０…表示部
Ｚ５０…受信部
Ｚ６０…制御装置
Ｚ７０…設定部（訓練表示情報設定部）
Ｚ８０…送信部
Ｚ９０…訓練パターン記憶部（訓練パターン格納部）
Ｚ１００…受信部（制御装置における）
Ｚ１０００…測定技術訓練システム
Ｚ１１０…訓練パターン生成部
【図１】
2017151175.tif 000003
【図１−２】
2017151175.tif 000004
【図２】
2017151175.tif 000005
【図２−２】
2017151175.tif 000006
【図２−３】
2017151175.tif 000007
【図３】
2017151175.tif 000008
【図３−２】
2017151175.tif 000009
【図３−３】
2017151175.tif 000010
【図４】
2017151175.tif 000011
【図５】
2017151175.tif 000012
【図５−２】
2017151175.tif 000013
【図５−３】
2017151175.tif 000014
【図６】
2017151175.tif 000015
【図６−２】
2017151175.tif 000016
【図７】
2017151175.tif 000017
【図７−２】
2017151175.tif 000018
【図８】
2017151175.tif 000019
【図９】
2017151175.tif 000020
【図９−２】
2017151175.tif 000021
【図９−３】
2017151175.tif 000022
【図９−４】
2017151175.tif 000023
【図９−５】
2017151175.tif 000024
【図１０】
2017151175.tif 000025
【図１１】
2017151175.tif 000026
【図１２】
2017151175.tif 000027